【手続補正書】
【提出日】平成21年4月22日(2009.4.22)
【手続補正１】
【補正対象書類名】特許請求の範囲
【補正対象項目名】全文
【補正方法】変更
【補正の内容】
【特許請求の範囲】
【請求項１】
送信ライン対の内、トルーライン及びバーラインに、前記トルーライン及びバーラインを介して転送される予定のデータの論理値に応じて、互いに異なる電流を供給するための電流供給手段と、
該電流供給手段を制御するための送信制御部と、
を備えたことを特徴とする差動電流駆動方式の送信機。
【請求項２】
前記電流供給手段が、
送信ライン対の内、トルーラインに電流を供給するための第１電流源と、
前記送信ライン対の内、バーラインに電流を供給するための第２電流源と、
前記送信ライン対の内のいずれかに遷移論理状態を示す、遷移電流を生成するための遷移電流源と、
データの送信の前に、前記送信ライン対の電位を均等化させるための均等化スイッチと、
送信しようとするデータの論理値に応じて、前記遷移電流を前記トルーライン又はバーラインに供給するための遷移スイッチと、
を備えたことを特徴とする請求項１に記載の差動電流駆動方式の送信機。
【請求項３】
前記送信制御部が、
前記均等化スイッチが各データビットの送信開始時に、一時にターンオンするように制御することを特徴とする請求項２に記載の差動電流駆動方式の送信機。
【請求項４】
前記送信制御部が、
送信するデータの論理値の変動がない期間の間には、前記均等化スイッチのターンオン状態を維持させることを特徴とする請求項２に記載の差動電流駆動方式の送信機。
【請求項５】
前記基底電流及び遷移電流生成の基準となる基準電流を通過させ、ドレインとゲートが接続された基準ミラーＭＯＳトランジスタをされに備えたことを特徴とする請求項４に記載の差動電流駆動方式の送信機。
【請求項６】
前記第１電流源が、ソースが電源電圧の方に接続され、ドレインがトルーラインに接続され、ゲートが前記基準ミラーＭＯＳトランジスタのゲートに接続された第１基底ミラーＭＯＳトランジスタであり、
前記第２電流源が、ソースが電源電圧の方に接続され、ドレインがトルーラインに接続され、ゲートが前記基準ミラーＭＯＳトランジスタのゲートに接続された第２基底ミラーＭＯＳトランジスタであることを特徴とする請求項５に記載の差動電流駆動方式の送信機。
【請求項７】
前記遷移電流源が、
ソースが電源電圧の方に接続され、ドレインが前記遷移スイッチに接続され、ゲートが前記基準ミラーＭＯＳトランジスタのゲートに接続された遷移ミラーＭＯＳトランジスタであることを特徴とする請求項５に記載の差動電流駆動方式の送信機。
【請求項８】
前記遷移スイッチが、
ゲートに遷移信号及び反転遷移信号を受信し、一方が前記遷移電流源に接続され、他方がトルーラインに接続された２ＭＯＳスイッチである第１遷移スイッチ素子と、
ゲートに遷移信号及び反転遷移信号を受信し、一方が前記遷移電流源に接続され、他方がバーラインに接続された２ＭＯＳスイッチである第二遷移スイッチ素子と、
を備えたことを特徴とする請求項４に記載の差動電流駆動方式の送信機。
【請求項９】
前記遷移スイッチが、
ゲートに遷移信号又は反転遷移信号を受信し、一方が前記遷移電流源に接続され、他方がトルーラインに接続された単一ＭＯＳスイッチである第１遷移スイッチ素子と、
ゲートに遷移信号又は反転遷移信号を受信し、一方が前記遷移電流弦に接続され、他方がバーラインに接続された単一ＭＯＳスイッチである第２遷移スイッチ素子と、
を備えたことを特徴とする請求項４に記載の差動電流駆動方式の送信機。
【請求項１０】
前記均等化スイッチが、
ゲートに均等化信号及び反転均等化信号を受信し、一方が前記トルーラインに接続され、他方がバーラインに接続された２ＭＯＳスイッチであることを特徴とする請求項４に記載の差動電流駆動方式の送信機。
【請求項１１】
前記均等化スイッチが、
ゲートに均等化信号又は反転均等化信号を受信し、一方が前記トルーラインに接続され、他方がバーラインに接続された単一ＭＯＳスイッチであることを特徴とする請求項４に記載の差動電流駆動方式の送信機。
【請求項１２】
送信ライン対の内、トルーライン及びバーラインに流れる電流それぞれをミラーリングして、ミラーリングされた電流それぞれを生成するための電流ミラー手段と、
前記それぞれのミラーリングされた電流をそれぞれの対応する電圧に変換するための電流−電圧変換手段と、
前記それぞれの対応される電圧を比べて、前記トルーライン及びバーラインにそれぞれ流れる電流に対応されるデータを出力するためのデータ受信手段と、
を備えたことを特徴とする差動電流駆動方式の受信機。
【請求項１３】
前記電流ミラー手段が、
送信ライン対の内、トルーラインに流れるデータ信号電流をミラーリングして、トルーラインミラーリング電流を生成するためのトルーライン電流ミラーと、
前記送信ライン対の内、バーラインに流れるデータ信号電流をミラーリングして、バーラインミラーリング電流を生成するためのバーライン電流ミラーと、
を備えたことを特徴とする請求項１２に記載の差動電流駆動方式の受信機。
【請求項１４】
前記電流−電圧変換手段が、
前記トルーラインミラーリング電流値に対応するレベルを有するトルーライン受信電圧を生成するためのトルーラインＩＶコンバーターと、
前記バーラインミラーリング電流値に対応するレベルを有するバーライン受信電圧を生成するためのバーラインＩＶコンバーターと、
を備えたことを特徴とする請求項１３に記載の差動電流駆動方式の受信機。
【請求項１５】
前記データ受信手段が、
前記トルーライン受信電圧及びバーライン受信電圧のレベル差を増幅させるための差動増幅部を備えたことを特徴とする請求項１４に記載の差動電流駆動方式の受信機。
【請求項１６】
前記トルーライン電流ミラー及びバーライン電流ミラーが、
ミラーリング対象電流より、２倍以上大きいミラーリング電流を生成することを特徴とする請求項１５に記載の差動電流駆動方式の受信機。
【請求項１７】
前記トルーライン電流ミラー及びバーライン電流ミラーが、
ミラーリング対象電流を流動させる入力端ＭＯＳトランジスタ及びミラーリング電流を流動させる出力端ＭＯＳトランジスタを備え、
ミラーリング対象電流の入力端が前記２ＭＯＳトランジスタのゲートに接続される２ＭＯＳ電流ミラーであることを特徴とする請求項１５に記載の差動電流駆動方式の受信機。
【請求項１８】
前記トルーラインＩＶコンバーターが、
前記トルーラインミラーリング電流が流れる経路上に位置し、一方が電源電圧の方に接続され、他方がトルーライン変換電圧の出力端に接続される第１抵抗部を備え、
前記バーラインＩＶコンバーターが、
前記バーラインミラーリング電流が流れる経路上に位置し、一方が電源電圧の方に接続され、他方がバーライン変換電圧の出力端に接続される第２抵抗部を備えたことを特徴とする請求項１７に記載の差動電流駆動方式の受信機。
【請求項１９】
前記トルーラインＩＶコンバーターが、
前記トルーラインミラーリング電流が流れる経路上に位置し、一方が前記トルーライン変換電圧の出力端に接続され、他方が前記トルーラインミラー部に接続される第３抵抗部をさらに備え、
前記バーラインＩＶコンバーターが、
前記バーラインミラーリング電流が流れる経路上に位置し、一方が前記バーライン変換電圧の出力端に接続され、他方が前記バーラインミラー部に接続される第４抵抗部をさらに備えたことを特徴とする請求項１８に記載の差動電流駆動方式の受信機。
【請求項２０】
前記第１抵抗部が、
ソースが電源電圧端の方に接続され、ドレインが前記トルーライン変換電圧出力端に接続され、ゲートにバイアス電圧が印加される第１抵抗ＭＯＳトランジスタを備え、
前記第２抵抗部が、
ソースが電源電圧端の方に接続され、ドレインが前記バーライン変換電圧出力端に接続され、ゲートにバイアス電圧が印加される第２抵抗ＭＯＳトランジスタを備えたことを特徴とする請求項１８に記載の差動電流駆動方式の受信機。
【請求項２１】
前記第３抵抗部が、
ソースが前記トルーライン電流ミラーに接続され、ドレインが前記トルーライン変換電圧出力端に接続され、ゲートにバイアス電圧が印加される第３抵抗ＭＯＳトランジスタを備え、
前記第４抵抗部が、
ソースが前記バーライン電流ミラーに接続され、ドレインが前記バーライン変換電圧出力端に接続され、ゲートにバイアス電圧が印加される第４抵抗ＭＯＳトランジスタを備えたことを特徴とする請求項１９に記載の差動電流駆動方式の受信機。
【請求項２２】
前記第３抵抗部が、
ソース及びゲートが前記トルーライン電流ミラーに接続され、ドレインが前記トルーライン変換電圧出力端に接続される第３抵抗ＭＯＳトランジスタを備え、
前記第４抵抗部が、
ソース及びゲートが前記バーライン電流ミラーに接続され、ドレインが前記バーライン変換電圧出力端に接続される第４抵抗ＭＯＳトランジスタを備えたことを特徴とする請求項１９に記載の差動電流駆動方式の受信機。
【請求項２３】
差動方式によって、信号を送信する送信ライン対と、
送信信号の論理値に応じて、前記送信ライン対に電流差を与えて、所定のタイミングに応じて、前記送信ライン対を均等化させる送信回路と、
該送信回路の信号送信及び送信ラインの均等化を制御するための送信制御部と、
を備える送信機と、
前記送信ライン対の電流差をミラーリングした後、電圧差に変換するためのＩＶ変換回路と、
該ＩＶ変換回路の電圧差を増幅するための差動増幅器と、
を備える受信機と、
を備えたことを特徴とする差動電流駆動方式の送信システム。
【請求項２４】
前記送信回路が、
前記送信ライン対の内、トルーラインに基底論理状態を示す基底電流を供給するための第１電流源と、
前記送信ライン対の内、バーラインに基底論理状態を示す基底電流を供給するための第２電流源と、
前記送信ライン対の内のいずれかに遷移論理状態を示す遷移電流を生成するための遷移電流源と、
データの送信の前に前記送信ライン対の電位を均等化させるための均等化スイッチと、
送信しようとするデータの論理値に応じて、前記遷移電流を前記トルーライン又はバーラインに供給するための遷移スイッチと、
を備えたことを特徴とする請求項２３に記載の差動電流駆動方式の送信システム。
【請求項２５】
前記送信制御部が、
前記均等化スイッチが各データビットの送信開始時に、一時、ターンオンするように制御することを特徴とする請求項２４に記載の差動電流駆動方式の送信システム。
【請求項２６】
前記送信制御部が、
送信するデータの論理値の変動がない期間の間には、前記均等化スイッチのターンオン状態を維持させることを特徴とする請求項２５に記載の差動電流駆動方式の送信システム。
【請求項２７】
前記基底電流及び遷移電流の生成の基準となる基準電流を通過させて、ドレインとゲートとが接続された基準ミラーＭＯＳトランジスタをさらに備えたことを特徴とする請求項２４に記載の差動電流駆動方式の送信システム。
【請求項２８】
前記第１電流源が、ソースが電源電圧の方に接続され、ドレインがトルーラインに接続され、ゲートが前記基準ミラーＭＯＳトランジスタのゲートに接続された第１基底ミラーＭＯＳトランジスタであり、
前記第２電流源が、ソースが電源電圧の方に接続され、ドレインがトルーラインに接続され、ゲートが前記基準ミラーＭＯＳトランジスタのゲートに接続された第２基底ミラーＭＯＳトランジスタであることを特徴とする請求項２７に記載の差動電流駆動方式の送信システム。
【請求項２９】
前記遷移電流源が、
ソースが電源電圧の方に接続され、ドレインが前記遷移スイッチに接続され、ゲートが前記基準ミラーＭＯＳトランジスタのゲートに接続された遷移ミラーＭＯＳトランジスタであることを特徴とする請求項２７に記載の差動電流駆動方式の送信システム。
【請求項３０】
前記遷移スイッチが、
ゲートに遷移信号及び反転遷移信号を受信し、一方が前記遷移電流源に接続され、他方がトルーラインに接続された２ＭＯＳスイッチである第１遷移スイッチ素子と、
ゲートに遷移信号及び反転遷移信号を受信し、一方が前記遷移電流源に接続され、他方がバーラインに接続された２ＭＯＳスイッチである第２遷移スイッチ素子と、
を備えたことを特徴とする請求項２９に記載の差動電流駆動方式の送信システム。
【請求項３１】
前記遷移スイッチが、
ゲートに遷移信号又は反転遷移信号を受信し、一方が前記遷移電流源に接続され、他方がトルーラインに接続された単一ＭＯＳスイッチである第１遷移スイッチ素子と、
ゲートに遷移信号又は反転遷移信号を受信し、一方が前記遷移電流源に接続され、他方がバーラインに接続された単一ＭＯＳスイッチである第２遷移スイッチ素子と、
を備えたことを特徴とする請求項２９に記載の差動電流駆動方式の送信システム。
【請求項３２】
前記均等化スイッチが、
ゲートに均等化信号及び反転均等化信号を受信し、一方が前記トルーラインに接続され、他方がバーラインに接続された２ＭＯＳスイッチであることを特徴とする請求項２９に記載の差動電流駆動方式の送信システム。
【請求項３３】
前記均等化スイッチが、
ゲートに均等化信号又は反転均等化信号を受信し、一方が前記トルーラインに接続され、他方がバーラインに接続された単一ＭＯＳスイッチであることを特徴とする請求項２９に記載の差動電流駆動方式の送信システム。
【請求項３４】
前記ＩＶ変換回路が、
前記送信ライン対の内、トルーラインに流れるデータ信号電流をミラーリングして、トルーラインミラーリング電流を生成するためのトルーライン電流ミラーと、
前記送信ライン対の内、バーラインに流れるデータ信号電流をミラーリングして、バーラインミラーリング電流を生成するためのバーライン電流ミラーと、
前記トルーラインミラーリング電流値に対応するレベルを有するトルーライン受信電圧を生成するためのトルーラインＩＶコンバーターと、
前記バーラインミラーリング電流値に対応するレベルを有するバーライン受信電圧を生成するためのバーラインＩＶコンバーターと、
を備えたことを特徴とする請求項２９に記載の差動電流駆動方式の送信システム。
【請求項３５】
前記トルーライン電流ミラー及びバーライン電流ミラーが、
ミラーリング対象電流より、２倍以上大きいミラーリング電流を生成することを特徴とする請求項３４に記載の差動電流駆動方式の受信機。
【請求項３６】
前記トルーライン電流ミラー及びバーライン電流ミラーが、
ミラーリング対象電流を流動させる入力端ＭＯＳトランジスタ及びミラーリング電流を流動させる出力端ＭＯＳトランジスタを備え、
ミラーリング対象電流の入力端が前記２ＭＯＳトランジスタのゲートに接続される２ＭＯＳ電流ミラーであることを特徴とする請求項３４に記載の差動電流駆動方式の受信機。
【請求項３７】
前記トルーラインＩＶコンバーターが、
前記トルーラインミラーリング電流が流れる経路上に位置し、一方が電源電圧の方に接続され、他方がトルーライン変換電圧の出力端に接続される第１抵抗部を備え、
前記バーラインＩＶコンバーターが、
前記バーラインミラーリング電流が流れる経路上に位置し、一方が電源電圧の方に接続され、他方がバーライン変換電圧の出力端に接続される第２抵抗部を備えたことを特徴とする請求項３４に記載の差動電流駆動方式の受信機。
【請求項３８】
前記トルーラインＩＶコンバーターが、
前記トルーラインミラーリング電流が流れる経路上に位置し、一方が前記トルーライン変換電圧の出力端に接続され、他方が前記トルーラインミラー部に接続される第３抵抗部をさらに備え、
前記バーラインＩＶコンバーターが、
前記バーラインミラーリング電流が流れる経路上に位置し、一方が前記バーライン変換電圧の出力端に接続され、他方が前記バーラインミラー部に接続される第４抵抗部をさらに備えたことを特徴とする請求項３４に記載の差動電流駆動方式の受信機。
【請求項３９】
前記第１抵抗部が、
ソースが電源電圧端の方に接続され、ドレインが前記トルーライン変換電圧出力端に接続され、ゲートに所定のバイアス電圧が印加される第１抵抗ＭＯＳトランジスタを備え、
前記第２抵抗部が、
ソースが電源電圧端の方に接続され、ドレインが前記バーライン変換電圧出力端に接続され、ゲートに前記バイアス電圧が印加される第２抵抗ＭＯＳトランジスタを備えたことを特徴とする請求項３７に記載の差動電流駆動方式の受信機。
【請求項４０】
前記第３抵抗部が、
ソースが前記トルーライン電流ミラーに接続され、ドレインが前記トルーライン変換電圧出力端に接続され、ゲートに所定のバイアス電圧が印加される第３抵抗ＭＯＳトランジスタを備え、
前記第４抵抗部が、
ソースが前記バーライン電流ミラーに接続され、ドレインが前記バーライン変換電圧出力端に接続され、ゲートに前記バイアス電圧が印加される第４抵抗ＭＯＳトランジスタを備えたことを特徴とする請求項３８に記載の差動電流駆動方式の受信機。
【請求項４１】
前記第３抵抗部が、
ソース及びゲートが前記トルーライン電流ミラーに接続され、ドレインが前記トルーライン変換電圧出力端に接続される第３抵抗ＭＯＳトランジスタを備え、
前記第４抵抗部が、
ソース及びゲートが前記バーライン電流ミラーに接続され、ドレインが前記バーライン変換電圧出力端に接続される第４抵抗ＭＯＳトランジスタを備えたことを特徴とする請求項３８に記載の差動電流駆動方式の受信機。
【手続補正２】
【補正対象書類名】明細書
【補正対象項目名】０００５
【補正方法】変更
【補正の内容】
【０００５】
差動電流駆動方式とは、２つの送信ラインに、互いに異なる電流を出力して、これによって、送信ラインの受信端に発生する電圧差にて、送信される信号を検出する方式であって、単一電流駆動方式に比べて、ノイズによる送信信号の歪みは著しく低減される。これに対して、送信ライン間の干渉現象は、送信ライン間の距離が近いほど、より大きな影響をおよぼすようになる。結果的に、差動電流駆動方式では、送信ラインに寄生する、Ｒ，Ｌ，Ｃ成分が大きくなるにつれて、ノイズとラインとの間の干渉による影響が大きくなり、これは、送信する信号の歪みの深化だけでなく、信号の遷移時間の増加や送信速度の低下を招く。
【手続補正３】
【補正対象書類名】明細書
【補正対象項目名】００１３
【補正方法】変更
【補正の内容】
【００１３】
また、本発明のさらに他の目的は、信号の復元時、エラーの可能性が低く、信号に対する敏感度の高い受信機を備える差動電流駆動方式の送信システムを提供することにある。
【手続補正４】
【補正対象書類名】明細書
【補正対象項目名】００２２
【補正方法】変更
【補正の内容】
【００２２】
（第１の実施形態）
図１及び図２に示したように、本実施形態の差動電流駆動方式の送信機は、送信ライン対の内、トルーラインＴＸ＋に基底論理状態を示す基底電流を供給するための第１電源Ｉｃｃ１と、前記送信ライン対の内、バーラインＴＸ−に基底論理状態を示す基底電流を供給するための第２電流源Ｉｃｃ２と、前記送信ライン対の内、いずれかに遷移論理状態を示す遷移電流を生成するための遷移電流源Ｉｄｃと、データの送信の前に、前記送信ラインの電位を均等化させるための均等化スイッチＳＷＥと、送信しようとするデータの論理値に応じて、前記遷移電流を前記トルーラインＴＸ＋又はバーラインＴＸ−に供給するための遷移スイッチＳＷＴと、送信しようとするデータに対応して、前記均等化スイッチＳＷＥ及び遷移スイッチＳＷＴの切り替えを制御するための送信制御部１０とを備えたことを特徴とする。
【手続補正５】
【補正対象書類名】明細書
【補正対象項目名】００２５
【補正方法】変更
【補正の内容】
【００２５】
第１電流源Ｉｃｃ１は、ソースが電源電圧の側に接続され、ドレインがトルーラインＴＸ＋に接続され、ゲートが前記基準ミラーＭＯＳトランジスタのゲートに接続された第１基底ミラーＭＯＳトランジスタＴＲ２で実現し、第２電流源Ｉｃｃ２は、ソースが電源電圧の側に接続され、ドレインがトルーラインＴＸ＋に接続され、ゲートが前記基準ミラーＭＯＳトランジスタのゲートに接続された第２基底ミラーＭＯＳトランジスタＴＲ３で実現した。また、遷移電流源Ｉｄｃは、ソースが電源電圧の側に接続され、ドレインが前記遷移スイッチＳＷＴに接続され、ゲートが前記基準ミラーＭＯＳトランジスタＴＲ１のゲートに接続された遷移ミラーＭＯＳトランジスタＴＲ４で実現した。
【手続補正６】
【補正対象書類名】明細書
【補正対象項目名】００２６
【補正方法】変更
【補正の内容】
【００２６】
前記第１／第２基底ミラーＭＯＳトランジスタＴＲ２，ＴＲ３及び遷移ミラーＭＯＳトランジスタＴＲ４のゲートは、全て基準ミラーＭＯＳトランジスタＴＲ１のゲートに接続されているので、前記基底電流Ｉｃｃ１，Ｉｃｃ２及び遷移電流Ｉｄｃは、前記基準電流Ｉｒｅｆに比例する大きさに生成される。
【手続補正７】
【補正対象書類名】明細書
【補正対象項目名】００２８
【補正方法】変更
【補正の内容】
【００２８】
後者の場合、前記遷移スイッチＳＷＴ−２は、ゲートに遷移信号Ｄ＋又は反転遷移信号Ｄ−を受信し、一方が前記遷移電流源Ｉｄｃに接続され、他方がトルーラインＴＸ＋に接続された単一ＭＯＳスイッチである第１遷移スイッチ素子ＴＲ１１と、ゲートに遷移信号Ｄ＋又は反転遷移信号Ｄ−を受信し、一方が前記遷移電流源Ｉｄｃに接続され、他方がバーラインＴＸ−に接続されたた単一ＭＯＳスイッチである第２遷移スイッチ素子ＴＲ１２とを備える。
【手続補正８】
【補正対象書類名】明細書
【補正対象項目名】００３７
【補正方法】変更
【補正の内容】
【００３７】
均等化スイッチング制御信号ＮＴ＋，ＮＴ−は、前記遷移スイッチング制御信号Ｄ＋，Ｄ−により１つのデータが送信線路に出力される１ＰＴ区間の内、データの遷移時点を含むＰＴ／２区間において均等化スイッチＳＷＥに対したターンオフ制御信号を出力する。一方、送信データビットの変更がない場合には、全１ＰＴ区間で、均等化スイッチＳＷＥに対するターンオン制御信号を出力する。
【手続補正９】
【補正対象書類名】明細書
【補正対象項目名】００３８
【補正方法】変更
【補正の内容】
【００３８】
これは、同じデータビット信号を出力する場合には、送信ラインが、前の同じ論理値のデータビットを送信することにおいて求められる遷移水準で安定化されているので、この場合には、送信ライン対に対する均等化を行わないのである。しかし、実現によっては、送信データビットの変更がない場合にも、該当データビットが送信ラインに出力される１ＰＴ区間の内、データの遷移時点を含むＰＴ／２区間で、均等化スイッチＳＷＥに対するターンオフ制御信号を出力するように構成することができる。
【手続補正１０】
【補正対象書類名】明細書
【補正対象項目名】００３９
【補正方法】変更
【補正の内容】
【００３９】
送信データビットが１である時、トルーラインＴＸ＋の電流がより大きく、前記第１／第２基底電流源及び遷移電流源の生成電流値が同じ場合を仮定する。反転遷移信号Ｄ−をハイ値に出力し、遷移信号Ｄ＋をロー値に出力する。これによって、前記トルーラインＴＸ＋には第１基底電流源の生成電流だけでなく、遷移電流源の生成電流も流入されるが、前記データビットによる遷移初期には、均等化信号ＮＴ＋は、ロー値に、反転均等化信号ＮＴ−は、ハイ値に維持されることによって、トルーラインＴＸ＋とバーラインＴＸ−が接続されているので、前記２送信ラインの電流差は、発生しない。ＰＴ／２の期間が過ぎた後、均等化信号ＮＴ＋は、ハイ値に、反転均等化信号ＮＴ−は、ロー値になるので、バーラインＴＸ−には、電流源の生成電流の大きさの電流が流れ、トルーラインＴＸ＋には、その２倍の電流が流れるようになる。
【手続補正１１】
【補正対象書類名】明細書
【補正対象項目名】００４９
【補正方法】変更
【補正の内容】
【００４９】
前記バイアス電圧Ｖｒｅｆは、第１抵抗ＭＯＳトランジスタＲＴ１及び第２抵抗ＭＯＳトランジスタＲＴ２がリニアー（ｌｉｎｅａｒ）領域で、動作するように強制し、これによって、第１抵抗ＭＯＳトランジスタＲＴ１及び第２抵抗ＭＯＳトランジスタＲＴ２は、チャンネルを通過する電流の大きさに比例するチャンネル電圧降下を有する一種の抵抗として動作するようになる。図示の場合、第１抵抗ＭＯＳトランジスタＲＴ１及び第２抵抗ＭＯＳトランジスタＲＴ２がＰＭＯＳトランジスタであるから、前記バイアス電圧は、ＶＤＤ−Ｖｔ（Ｖｔ≦ＰＭＯＳトランジスタのしきい電圧）になる。すなわち、前記ＰＭＯＳトランジスタのゲート電圧をソース電圧で、そのしきい電圧より少し小さな大きさの分降下させたレベルを有するようにして、前記ＰＭＯＳトランジスタのリニアー（ｌｉｎｅａｒ）動作を保障するようにすることが好ましい。
【手続補正１２】
【補正対象書類名】明細書
【補正対象項目名】００５３
【補正方法】変更
【補正の内容】
【００５３】
（第３の実施形態）
図１に示したように、本実施形態の差動電流駆動方式の送信システムは、差動方式に応じて信号を送信する送信ライン３０と、送信信号の論理値に応じて前記送信ライン３０に電流差を与え、所定のタイミングに応じて前記送信ラインを均等化させる送信回路２０と、前記送信回路２０の信号送信及び送信ライン均等化を制御するための送信制御部１０とを備える送信機２００と、前記送信ライン３０の電流差をミラーリングした後、電圧差に変換するためのＩＶ変換回路４０と、該ＩＶ変換回路４０の電圧差を増幅するための差動増幅部５０とを備える受信機４００とからなる。ここで、前記送信ライン３０は、１つ以上の送信ライン対からなり、各送信ライン対を介してある時点に１ビットのデータが転送される。
【手続補正１３】
【補正対象書類名】明細書
【補正対象項目名】００５４
【補正方法】変更
【補正の内容】
【００５４】
前記送信回路２０は、前記送信ライン対の内、トルーラインＴＸ＋に基底論理状態を示す基底電流を供給するための第１電流源Ｉｃｃ１と、前記送信ライン対の内、バーラインＴＸ−に基底論理状態を示す、基底電流を供給するための第２電流源Ｉｃｃ２と、遷移論理状態を示す、遷移電流を生成するための遷移電流源Ｉｄｃと、前記送信ライン対の電位を均等化させるための均等化スイッチＳＷＥと、送信しようとするデータの論理値に応じて、前記遷移電流を前記トルーラインＴＸ＋又はバーラインＴＸ−に供給するための遷移スイッチＳＷＴとを備えることができる。この場合、前記送信回路２０、該送信制御部１０で実現される送信機２００は、前記第１実施形態の送信機構成と同じくなる。したがって、送信回路２０を構成する第１電流源Ｉｃｃ１、第２電流源Ｉｃｃ２、遷移電流源Ｉｄｃ、均等化スイッチＳＷＥ及び遷移スイッチＳＷＴと、送信制御部１０に対する詳細な説明は、前記第１実施形態と重複しているので、省略する。
【手続補正１４】
【補正対象書類名】図面
【補正対象項目名】図５
【補正方法】変更
【補正の内容】
【図５】
2006311551.tif 000001